【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
入力フレームの輝度を複数のサブフレームに分配してフレームレート変換を行なうフレームレート変換装置であって、
前記入力フレームにおける画像の１又は複数の画素からなる各領域の動き度を検出する検出手段と、
前記検出手段により検出された各領域の動き度に応じて前記複数のサブフレームにおける各領域での輝度分配量を決定する決定手段と、
前記決定手段により決定された輝度分配量で前記入力フレームの各領域の輝度を分配して前記複数のサブフレームを出力する出力手段と
を具備することを特徴とするフレームレート変換装置。
【請求項２】
前記決定手段は、
前記各領域の動き度に応じて前記複数のサブフレームの各領域における輝度分配量を補正する分配補正係数を生成することにより前記輝度分配量を決定し、
前記出力手段は、
前記決定手段により生成された分配補正係数で補正された輝度分配量にしたがって前記入力フレームの各領域の輝度を第１のサブフレームに分配する分配処理手段と、
前記第１のサブフレームと前記入力フレームとの輝度の差分から第２のサブフレームを生成する差分処理手段と、
前記第１のサブフレームと前記第２のサブフレームとを切り替えて１フレーム期間中に出力する切替手段と
を具備することを特徴とする請求項１記載のフレームレート変換装置。
【請求項３】
前記検出手段は、
前記入力フレームと該入力フレームよりも前に入力されたフレームとからフレーム間差分を算出し、該算出した差分値と閾値との関係から該入力フレームよりも前に入力されたフレームにおける画像の各領域の動き度を検出する
ことを特徴とする請求項１記載のフレームレート変換装置。
【請求項４】
前記検出手段は、
前記入力フレームと該入力フレームよりも前に入力されたフレームとから各領域のフレーム間の動きベクトルを算出し、該算出した動きベクトルから該入力フレームよりも前に入力されたフレームにおける画像の各領域の動き度を検出する
ことを特徴とする請求項１記載のフレームレート変換装置。
【請求項５】
前記検出手段は、
前記入力フレームよりも前に入力されたフレームにおける画像の各領域の動きと予め定められた値との関係から動きの大きい領域と動きの小さい領域とに対応する動き度をそれぞれ検出し、
前記決定手段は、
前記動きの大きい領域であれば、前記出力手段により時間的に後方に出力されるサブフレームの対応する領域への輝度分配量を、前記動きの小さい領域である場合に該サブフレームの対応する領域に分配する輝度分配量よりも低くする
ことを特徴とする請求項１記載のフレームレート変換装置。
【請求項６】
前記検出手段は、
前記入力フレームよりも前に入力されたフレームにおける画像の各領域の動きと予め定められた値との関係から動きの大きい領域と動きの小さい領域とに対応する動き度をそれぞれ検出し、
前記決定手段は、
前記動きの小さい領域であれば、前記出力手段により時間的に後方に出力されるサブフレームの対応する領域への輝度分配量を、前記動きの大きい領域である場合に該サブフレームの対応する領域に分配する輝度分配量よりも高くする
ことを特徴とする請求項１又は５記載のフレームレート変換装置。
【請求項７】
第１の値と該第１の値よりも大きい第２の値とが予め定められており、
前記検出手段は、
前記入力フレームよりも前に入力されたフレームにおける画像の各領域の動きと前記第１の値又は前記第２の値との関係から動きの大きい領域と動きの小さい領域とを含む領域に対応する動き度をそれぞれ検出し、
前記決定手段は、
前記動きの大きい領域であれば、前記出力手段により時間的に後方に出力されるサブフレームの対応する領域への輝度分配量を、前記動きの小さい領域である場合に該サブフレームの対応する領域に分配する輝度分配量よりも低くし、前記動きの小さい領域であれば、前記出力手段により時間的に後方に出力されるサブフレームの対応する領域への輝度分配量を、前記動きの大きい領域である場合に該サブフレームの対応する領域に分配する輝度分配量よりも高くする
ことを特徴とする請求項１記載のフレームレート変換装置。
【請求項８】
前記検出手段は、
前記入力フレームよりも前に入力されたフレームにおける画像の領域の動きが前記第１の値から前記第２の値の間であれば、該第１の値から該第２の値の間で動きが大きくなるにつれて、動き度を単調に変化させて検出し、
前記決定手段は、
前記領域の動きが前記第１の値から前記第２の値の間であれば、前記出力手段により時間的に後方に出力されるサブフレームの対応する領域への輝度分配量を、前記動きの小さい領域である場合に該サブフレームの対応する領域に分配する輝度分配量よりも低くし、かつ動きが大きくなるにつれて、前記検出された動き度に応じて該輝度分配量を低くする
ことを特徴とする請求項７記載のフレームレート変換装置。
【請求項９】
前記決定手段は、
前記動きの小さい領域であり、かつ該領域が動きの大きい領域と隣接する場合には、前記出力手段により時間的に後方に出力されるサブフレームの対応する領域への輝度分配量を、該動きが小さい領域において該隣接する位置までの所定範囲の輝度分配量を連続的に減衰させる
ことを特徴とする請求項６又は７記載のフレームレート変換装置。
【請求項１０】
入力フレームの輝度を複数のサブフレームに分配してフレームレート変換を行なうフレームレート変換装置におけるフレームレート変換方法であって、
検出手段が、前記入力フレームにおける画像の１又は複数の画素からなる各領域の動き度を検出する検出工程と、
決定手段が、前記検出工程により検出された各領域の動き度に応じて前記複数のサブフレームにおける各領域での輝度分配量を決定する決定工程と、
出力手段が、前記決定工程により決定された輝度分配量で前記入力フレームの各領域の輝度を分配して前記複数のサブフレームを出力する出力工程と
を含むことを特徴とするフレームレート変換方法。
【請求項１１】
入力フレームの輝度を複数のサブフレームに分配してフレームレート変換を行なうフレームレート変換装置に内蔵されたコンピュータを、
前記入力フレームにおける画像の１又は複数の画素からなる各領域の動き度を検出する検出手段、
前記検出手段により検出された各領域の動き度に応じて前記複数のサブフレームにおける各領域での輝度分配量を決定する決定手段、
前記決定手段により決定された輝度分配量で前記入力フレームの各領域の輝度を分配して前記複数のサブフレームを出力する出力手段
として機能させるためのプログラム。
【手続補正２】
【補正対象書類名】明細書
【補正対象項目名】０００９
【補正方法】変更
【補正の内容】
【０００９】
上記目的を達成するため、本発明の一態様は、入力フレームの輝度を複数のサブフレームに分配してフレームレート変換を行なうフレームレート変換装置であって、前記入力フレームにおける画像の１又は複数の画素からなる各領域の動き度を検出する検出手段と、前記検出手段により検出された各領域の動き度に応じて前記複数のサブフレームにおける各領域での輝度分配量を決定する決定手段と、前記決定手段により決定された輝度分配量で前記入力フレームの各領域の輝度を分配して前記複数のサブフレームを出力する出力手段とを具備することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】